(57)【要約】【課題】ユーザが普段注意を払っていない分野における、ユーザのビジネスに密接に関係する情報を、ユーザの操作によらず、容易に取得できる出力装置を提供する。【解決手段】文字列を含む画像に係る出力データに基づき、出力を行なうにおいて、前記画像の文字列から単語を抽出する単語抽出部８１と、複数の外部データを受信する通信部と、抽出された単語の組み合わせを含む外部データを検索する検索部８３とを備え、検索された被検索外部データを、例えば表示部に表示する。【選択図】図２
2013149166.tif 000002
【特許請求の範囲】
【請求項１】
文字列を含む画像に係る出力データに基づき、出力を行なう出力装置において、
前記画像の文字列から単語を抽出する抽出手段と、
複数の外部データを受信する通信部と、  
抽出された単語の組み合わせを含む外部データを検索する検索手段とを備え、
検索された被検索外部データを出力するように構成されていることを特徴とする出力装置。
【請求項２】
前記検索手段は、
前記出力データにおける、抽出された単語の組み合わせの出現頻度に基づき、何れかの単語の組み合わせを含む外部データを検索するように構成されていることを特徴とする請求項１に記載の出力装置。
【請求項３】
前記通信部は、
インターネットを介して前記外部データを受信するように構成されていることを特徴とする請求項１又は２に記載の出力装置。
【請求項４】
前記単語の組み合わせをその出現頻度数に対応付ける手段と、
出現頻度順位を受け付ける頻度順位受付手段とを備え、
前記検索手段は、受け付けた出現頻度順位に対応する単語の組合せを含む外部データを検索するように構成されていることを特徴とする請求項２に記載の出力装置。
【請求項５】
前記通信部は外部から送信された出力データを受信し、
該出力データの送信元の指定を受け付ける送信元受付手段を備えることを特徴とする請求項１から４の何れかに記載の出力装置。
【請求項６】
前記通信部は前記被検索外部データを外部に送信し、
該被検索外部データの送信先の指定を受け付ける送信先受付手段を備えることを特徴とする請求項１から５の何れかに記載の出力装置。
【請求項７】
複数の外部データを受信する通信部を備えており、文字列を含む画像に係る出力データに基づいて出力を行なう出力装置での出力方法において、
前記画像の文字列から単語を抽出する抽出ステップと、
抽出された単語の組み合わせを含む外部データを検索する検索ステップと、
検索された被検索外部データを出力する出力ステップと
を含むことを特徴とする出力方法。
【発明の詳細な説明】
【技術分野】
【０００１】
本発明は、文字列を含む画像に係る出力データに基づき、出力を行なう出力装置及び出力方法に関する。
【背景技術】
【０００２】
近年のインターネット、雑誌等のメディアには膨大な情報が掲載されており、上手に使えば短時間で有効な情報を取得でき、ビジネスにも有効に活用できる。
【０００３】
このような情報の取得方法として、例えば、特許文献１においては、ユーザがアクセスしたウェブページの文字列に対して解析が行なわれ、所定のキーワードと一致するものが抽出されて、これを用いて該ウェブページに関連した広告が表示されるシステムが開示されている。
【０００４】
また、特許文献２においては、所定原稿のスキャン画像データからページ特定情報を抽出し、抽出されたページ特定情報に基づいて、予め複数のページ特定情報毎に登録された広告情報の中から前記抽出されたページ特定情報に対応する広告情報を取得して表示及び／又は印刷する画像形成装置が開示されている。
【先行技術文献】
【特許文献】
【０００５】
【特許文献１】特開２００９−１６３３８８号公報
【特許文献２】特開２００７−１１６３０４号公報
【発明の概要】
【発明が解決しようとする課題】
【０００６】
一方、インターネット情報はユーザが自信の興味のある分野に対して検索を行なうか、情報の対象範囲を絞ってＲＳＳ(Rich Site Summary)リーダなどのサービスを用いて行なう情報収集が多く、有用な情報を得るためにはユーザが長時間インターネットを操作する必要が生じる。
【０００７】
更に、ユーザが普段注意を払っていない分野においては、情報収集自体が行なわれておらず、ユーザの業務に大きく関係する情報の取得は困難である。
【０００８】
特許文献１のシステム及び特許文献２の画像形成装置の何れにおいても、ユーザの操作履歴を用いるものであることから、あくまでユーザが取り扱った情報（アクセスしたウェブページ、スキャンした雑誌）の範囲内で新たな情報を取得するものであって、ユーザが取り扱っていない範囲での情報の取得はできない。
【０００９】
本発明は、斯かる事情に鑑みてなされたものであり、その目的とするところは、文字列を含む画像に係る出力データに基づき、出力を行なうにおいて、複数の外部データを受信する通信部を備え、前記画像の文字列から単語を抽出し、抽出された単語の組み合わせを含む外部データを検索し、検索された被検索外部データを出力することにより、ユーザが普段注意を払っていない分野における、ユーザのビジネスに密接に関係する情報を、ユーザの操作によらず、容易に取得できる出力装置及び出力方法を提供することにある。
【課題を解決するための手段】
【００１０】
本発明に係る出力装置は、文字列を含む画像に係る出力データに基づき、出力を行なう出力装置において、前記画像の文字列から単語を抽出する抽出手段と、複数の外部データを受信する通信部と、抽出された単語の組み合わせを含む外部データを検索する検索手段とを備え、検索された被検索外部データを出力するように構成されていることを特徴とする。
【００１１】
本発明にあっては、前記抽出手段が前記画像の文字列から単語を抽出し、前記検索手段は、前記通信部によって受信された複数の外部データに対して、抽出された単語の組み合わせを含む外部データを検索し、これによって検索された被検索外部データが印刷、表示等出力される。
【００１２】
本発明に係る出力装置は、前記検索手段は、前記出力データにおける、抽出された単語の組み合わせの出現頻度に基づき、何れかの単語の組み合わせを含む外部データを検索するように構成されていることを特徴とする。
【００１３】
本発明にあっては、前記検索手段は、抽出された単語の組み合わせの前記出力データにおける出現頻度を求め、例えば、何れかの出現頻度に対応する単語の組み合わせを含む外部データを検索する。
【００１４】
本発明に係る出力装置は、前記通信部は、インターネットを介して前記外部データを受信するように構成されていることを特徴とする。
【００１５】
本発明にあっては、前記通信部は、インターネットを介して、所定分野のウェブ情報を前記外部データとして受信する。
【００１６】
本発明に係る出力装置は、前記単語の組み合わせをその出現頻度数に対応付ける手段と、出現頻度順位を受け付ける頻度順位受付手段とを備え、前記検索手段は、受け付けた出現頻度順位に対応する単語の組合せを含む外部データを検索するように構成されていることを特徴とする。
【００１７】
本発明にあっては、単語の組み合わせ毎に、前記出力データにおけるその出現頻度数に対応付けられ、出現頻度順位が求められる。前記頻度順位受付手段が、例えば、ユーザから出現頻度順位を受け付けた場合、前記検索手段は、受け付けた出現頻度順位に対応する単語の組合せを含む外部データを検索する。
【００１８】
本発明に係る出力装置は、前記通信部は外部から送信された出力データを受信し、該出力データの送信元の指定を受け付ける送信元受付手段を備えることを特徴とする。
【００１９】
本発明にあっては、前記出力データの送信元の指定を前記送信元受付手段が受け付けた場合、受け付けた送信元からの出力データに係る画像の文字列から、前記抽出手段が単語を抽出する。
【００２０】
本発明に係る出力装置は、前記通信部は前記被検索外部データを外部に送信し、該被検索外部データの送信先の指定を受け付ける送信先受付手段を備えることを特徴とする。
【００２１】
本発明にあっては、前記送信先受付手段が前記被検索外部データの送信先の指定を受け付けた場合、前記通信部は斯かる被検索外部データを該送信先に送信する。
【００２２】
本発明に係る出力方法は、複数の外部データを受信する通信部を備えており、文字列を含む画像に係る出力データに基づいて出力を行なう出力装置での出力方法において、前記画像の文字列から単語を抽出する抽出ステップと、抽出された単語の組み合わせを含む外部データを検索する検索ステップと、検索された被検索外部データを出力する出力ステップとを含むことを特徴とする。
【００２３】
本発明にあっては、前記出力データに係る画像の文字列から単語が抽出され、抽出された単語の組み合わせを含む外部データの検索が、前記通信部によって受信された複数の外部データに対して行われ、これによって検索された被検索外部データが印刷、表示等出力される。
【発明の効果】
【００２４】
本発明によれば、ユーザが普段注意を払っていない分野における、ユーザのビジネスに密接に関係する情報を、ユーザの操作によらず、容易に取得できる。また、単語でなく、単語の組み合わせを含む外部データが検索されるので、より確実に、ユーザのビジネスに関係する情報が取得できる。
【図面の簡単な説明】
【００２５】
【図１】本発明の実施の形態に係る複合機の要部構成を示す機能ブロック図である。
【図２】本発明の実施の形態に係る複合機における、表示制御部の要部構成を示す機能ブロック図である。
【図３】本発明の実施の形態に係る複合機における、制御部の要部構成を示す機能ブロック図である。
【図４】本発明の実施の形態に係る複合機における、表示制御部の処理の一例を説明するフローチャートである。
【図５】本発明の実施の形態に係る複合機における、表示制御部の処理の他例を説明するフローチャートである。
【発明を実施するための形態】
【００２６】
以下に、本発明の実施の形態に係る出力装置及び出力方法を、いわゆる複合機１００に適用した場合を例として、図面に基づいて詳述する。複合機１００は、インターネットに接続されている。
【００２７】
また、複合機１００は、パーソナルコンピュータＰＣ１、ＰＣ２等と接続されており、パーソナルコンピュータＰＣ１、ＰＣ２（送信元、送信先）等から送信される、出力すべきデータ（以下、出力データという。）を受信して、表示部への表示、印刷等の出力を行なう。
【００２８】
図１は本発明の実施の形態に係る複合機１００の要部構成を示す機能ブロック図である。複合機１００は、制御部１０と、画像入力部２０と、画像処理部３０と、画像出力部４０と、送受信部５０と、操作パネル６０と、表示部７０と、表示制御部８０と、記憶部９０とを備えている。
【００２９】
記憶部９０は、例えば、フラッシュメモリ、ＥＥＰＲＯＭ、ＨＤＤ、ＭＲＡＭ（磁気抵抗メモリ）、ＦｅＲＡＭ（強誘電体メモリ）、又は、ＯＵＭ等の不揮発性の記憶媒体により構成されている。
【００３０】
また、記憶部９０は、後述する単語抽出部８１が出力データの文字列（テキストデータ）を文毎に分解して、更に１つの文を単語に分解する言語解析処理（例えば、形態素解析、文脈解析等）を行なうための言語解析用データベースを記憶する。
【００３１】
表示部７０は、例えば、ＬＣＤ又はＥＬ（Electroluminescence）パネル等からなり、画像出力部４０を介して出力（印刷）すべき出力データに係る画像が表示される。また、表示部７０は、インターネットから取得されるウェブ情報（外部データ）の中、特定のもの、又はユーザによって指定されたパーソナルコンピュータからの出力データの中、特定のものを表示する。
【００３２】
画像入力部２０は、読み取り用の原稿に光を照射する光源、ＣＣＤ（Charge Coupled Device）のようなイメージセンサ等を有し、該原稿の画像データの光学的読み取りを行なう。また、画像入力部２０では、所定の読取り位置に載置された原稿からの反射光像を当該イメージセンサに結像させ、ＲＧＢ（R : Red, G : Green, B : Blue）のアナログデータを出力する。
【００３３】
画像処理部３０は、例えば、画像入力部２０から入力されるアナログデータを基にディジタル形式の画像データを生成し、又は記憶部９０に記憶されている出力データを読み出し、夫々の画像の種類に応じた処理を施した後、出力（印刷）すべき画像データを生成する。画像処理部３０によって生成された出力用画像データは、画像出力部４０に出力される。
【００３４】
画像出力部４０は、画像処理部３０からの出力用画像データに基づく画像を記録用紙、ＯＨＰフィルム等の記録媒体上に印刷する。画像出力部４０は、感光体ドラム、該感光体ドラムを所定の電位に帯電させる帯電器、外部から受付けた画像データに応じてレーザ光を発して感光体ドラム上に静電潜像を生成させるレーザ書込装置、感光体ドラム表面に形成された静電潜像にトナーを供給して現像化する現像器、感光体ドラム表面に形成されたトナー像を記録媒体上に転写する転写器等を備えており、例えば、電子写真方式にて画像を記録媒体上に出力する。
【００３５】
また、操作パネル６０は、複合機１００における「ファックス」、「複写」、「印刷」、「メール」等の機能を切り替える機能ボタン、テンキー、スタートキー、キャンセルキー、受け付けた指示を確定するためのエンターキー、画像入力部２０を介して読み取った原稿の画像、又はパーソナルコンピュータＰＣ１、ＰＣ２から受信した出力データに係る画像をシート状の記録媒体上に画像形成するための「出力」キー又は「コピー」キー等を備えている。
【００３６】
送受信部５０は、外部からデータを送受信するネットワークカード、モデム等を備えている。例えば、送受信部５０はＩ／Ｆ（図示せず）を介してパーソナルコンピュータＰＣ１、ＰＣ２等から出力データを受信し、後述する被検索ウェブ情報をパーソナルコンピュータＰＣ１、ＰＣ２等に送信する。また、送受信部５０は、インターネットを介して、定期的に、特定のウェブ情報を受信する。
【００３７】
表示制御部８０は表示部７０への画像表示を制御する。例えば、表示制御部８０は、パーソナルコンピュータＰＣ１、ＰＣ２等からの出力データに含まれる単語の中、出現頻度の高いものを抽出しておき、送受信部５０によって特定のウェブ情報が受信された場合、該ウェブ情報の中、前記出現頻度の高い単語を含むものを検索する。このようにして検索されたウェブ情報は、表示部７０に表示され、又はパーソナルコンピュータＰＣ１、ＰＣ２等に送信される。以下、詳しく説明する。
【００３８】
複合機１００を介して出力（印刷）されるべく、パーソナルコンピュータＰＣ１、ＰＣ２等から作成される出力データには、該パーソナルコンピュータのユーザの業務分野、又は関心分野を表すものであると言える。換言すれば、前記出力データに含まれている文字列を構成する単語は、ユーザの業務分野、又は関心分野にて良く使われている単語である可能性が高い。
【００３９】
このようなことから、表示制御部８０は、パーソナルコンピュータＰＣ１、ＰＣ２等からの出力データに含まれる単語を抽出して、抽出した単語の組合せを、その出現頻度に関連付けて記憶しておく。例えば、送受信部５０によって特定のウェブ情報が受信された場合、表示制御部８０は、最も出現頻度の高い単語の組合せを含むウェブ情報を検索する。これによって検索されたウェブ情報（以下、被検索ウェブ情報と言う）がユーザに提供される。
【００４０】
図２は本発明の実施の形態に係る複合機１００における、表示制御部８０の要部構成を示す機能ブロック図である。表示制御部８０は、単語抽出部８１と、ヒストグラム生成部８２と、検索部８３とを備えている。
【００４１】
単語抽出部８１は、パーソナルコンピュータＰＣ１、ＰＣ２等から受信した出力データに対して、例えば、ＯＣＲ（光学式文字読取装置）、ＲＯＮＤＩＮＯの方法等を用いて、イメージ領域と文字領域とを認識して文字領域を抽出する。また、単語抽出部８１は、抽出された文字領域の文字列を文毎に分解して、記憶部９０に記憶された言語解析用データベースを用いて、更に１つの文を単語に分解して、助詞等を除く単語のみを抽出する。
【００４２】
例えば、「グローバル経済の拡大を見越した企業戦略を立案する必要に迫られている」との文字列に対して、単語抽出部８１は、「グローバル経済」、「拡大」、「見越した」、「企業戦略」、「立案」、「必要」、「迫られ」の単語を抽出する。
【００４３】
ヒストグラム生成部８２は、単語抽出部８１にて抽出された単語の組合せ（以下、単語組合せという。）を生成し、前記出力データにおける、各単語組合せの出現頻度数をカウントし、各単語組合せにその出現頻度数を対応付けて、出現頻度の順位を表すヒストグラムを作成する。
【００４４】
例えば、上述したように、単語抽出部８１によって、「グローバル経済」、「拡大」、「見越した」、「企業戦略」、「立案」、「必要」、「迫られ」の単語が抽出された場合、ヒストグラム生成部８２は、「グローバル経済、拡大」「グローバル経済、見越した」…「必要、迫られ」等の２つの単語からなる単語組合せを生成する。
【００４５】
また、ヒストグラム生成部８２は、前記出力データにおける、出現頻度数をカウントする。例えば、「グローバル経済に対応した販売網の拡大が急務である」との文字列において、「グローバル経済、拡大」の単語組合せの出現頻度数は「２」とカウントされる。ヒストグラム生成部８２はこのようなカウントの結果に基づき、単語組合せの出現頻度のヒストグラムを生成する。
【００４６】
検索部８３は、送受信部５０によって特定のウェブ情報が受信された場合、該ウェブ情報の中、何れかの単語組合せを含むものを検索する。例えば、後述する頻度受付部４がユーザから出現頻度の順位を受け付けた場合、ヒストグラム生成部８２によって生成された出現頻度のヒストグラムから、受け付けた順位に対応する単語組合せを読み出して、送受信部５０によって受信されたウェブ情報の中、当該単語組合せを含むものを検索する。このようにして、検索されたウェブ情報は、表示部７０に表示され、又はパーソナルコンピュータＰＣ１、ＰＣ２等に送信される。
【００４７】
本実施の形態においては、ヒストグラム生成部８２によって２つの単語からなる単語組合せが生成される場合を例として説明したが、これに限るものでない。例えば、３つ以上の単語からなる単語組合せが生成され、これを用いて検索部８３が当該検索を行なうように構成しても良い。これによって、本発明に係る複合機１００は、より出力データに関連する内容を含むウェブ情報を検索することが出来る。
【００４８】
図３は本発明の実施の形態に係る複合機１００における、制御部１０の要部構成を示す機能ブロック図である。制御部１０は、ＣＰＵ１、ＲＯＭ２及びＲＡＭ３を備えている。
【００４９】
ＲＯＭ２には各種の制御プログラム、演算用のパラメータのうちの基本的に固定のデータ等が予め格納されており、ＲＡＭ３はデータを一時的に記憶し、記憶順、記憶位置等に関係なく読み出すことが可能である。また、ＲＡＭ３は、例えば、ＲＯＭ２から読み出されたプログラム、該プログラムを実行することにより発生する各種データ、該実行の際適宜変化するパラメータ等を記憶する。
【００５０】
また、ＣＰＵ１は、ＲＯＭ２に予め格納されている制御プログラムをＲＡＭ３上にロードして実行することによって、上述した各種ハードウェアの制御を行ない、装置全体を本発明の複合機１００として動作させる。
【００５１】
制御部１０は、更に、頻度受付部４及び指定受付部５を備えている。
【００５２】
頻度受付部４は、操作パネル６０を介して、ユーザから出現頻度の順位を受け付ける。換言すれば、ユーザは、送受信部５０によって受信されるウェブ情報の検索に当たり、該検索に用いるキーワードを、頻度受付部４を介して選択できる。
【００５３】
すなわち、ユーザが操作パネル６０を適宜操作して「出現頻度１位」を入力した場合、頻度受付部４は操作パネル６０を介して「出現頻度１位」を受け付ける。この場合、検索部８３は、頻度受付部４がユーザから受け付けた出現頻度の順位に対応する単語組合せを前記出現頻度のヒストグラムから読み出して、該単語組み合わせをキーワードとし、送受信部５０によって受信されたウェブ情報を検索する。
【００５４】
指定受付部５は、操作パネル６０を介して、前記出力データの送信元、又は前記被検索ウェブ情報の送信先の指定をユーザから受け付ける。換言すれば、ユーザは、単語抽出部８１及びヒストグラム生成部８２による処理の対象たる出力データの送信元（例えばパーソナルコンピュータＰＣ１又はパーソナルコンピュータＰＣ２）を指定でき、また、検索部８３によって検索された被検索ウェブ情報の送信先を指定できる。
【００５５】
上述した出力データの送信元の指定においては、例えば、企業の企画部門に設置されているクライアントＰＣを斯かる送信元として指定することが一例として更に挙げられる。
【００５６】
また、上述した被検索ウェブ情報の送信先においては、例えば、各社員のクライアントＰＣ、イントラネットのホームページ等が一例として挙げられる。
【００５７】
更に、指定受付部５は、操作パネル６０を介して、送受信部５０によって受信されるべきウェブ情報に係る指定を受け付ける。詳しくは、ユーザは、操作パネル６０を適宜操作することにより、送受信部５０によって受信されるべきウェブ情報のカテゴリ、分野等を指定できる。送受信部５０は指定受付部５が受け付けたユーザからの指定に基づき、ウェブ情報の受信を行なう。
【００５８】
斯かる指定の一例としては、例えば、ユーザが企業の業種に合わせたウェブ上のニュースサイトを指定することが挙げられる。
【００５９】
なお、上述した単語抽出部８１、ヒストグラム生成部８２、検索部８３、頻度受付部４及び指定受付部５は、ハードウェアロジックによって構成してもよいし、所定のプログラムを実行することにより、ソフトウェア的に構築されてもよい。
【００６０】
図４は本発明の実施の形態に係る複合機１００における、表示制御部８０の処理の一例を説明するフローチャートである。以下においては、説明の便宜上、ユーザが出力データの送信元として、パーソナルコンピュータＰＣ１を指定しており、当該検索に用いるキーワードとして「出現頻度１位」を入力する場合を例として説明する。このように、頻度受付部４及び指定受付部５が受け付けた出現頻度順位及び出力データ送信元等は記憶部９０に記憶されるとする。
【００６１】
パーソナルコンピュータＰＣ１から出力データが送信され、送受信部５０が該出力データを受信した場合（ステップＳ１０１）、ＣＰＵ１は、記憶部９０を確認することにより、ユーザによる送信元の指定があったか否かを判定する（ステップＳ１０２）。
【００６２】
ＣＰＵ１によって、ユーザによる送信元の指定がなかったと判定された場合（ステップＳ１０２：ＮＯ）、処理はステップＳ１０４に移動する。
【００６３】
一方、ＣＰＵ１は、ユーザによる送信元の指定があったと判定した場合（ステップＳ１０２：ＹＥＳ）、ステップＳ１０１にて受信された出力データが、ユーザによって指定された送信元（以下、指定送信元という。）からの出力データであるか否かを判定する（ステップＳ１０３）。
【００６４】
ＣＰＵ１によって、ステップＳ１０１にて受信された出力データが指定送信元からの出力データでないと判定された場合（ステップＳ１０３：ＮＯ）、処理はステップＳ１０９に移動する。
【００６５】
一方、本実施の形態においては、出力データの送信元としてパーソナルコンピュータＰＣ１が指定されており、ステップＳ１０１にて受信された出力データがパーソナルコンピュータＰＣ１から受信されたので、ＣＰＵ１は前記出力データが指定送信元からの出力データであると判定し（ステップＳ１０３：ＹＥＳ）、単語抽出部８１は該出力データに対して、イメージ領域と文字領域とを認識して文字領域を抽出する（ステップＳ１０４）。
【００６６】
次いで、単語抽出部８１は抽出された文字領域の文字列を文毎に分解して、更に１つの文を単語に分解して、助詞等を除く単語のみを抽出する（ステップＳ１０５）。
【００６７】
このような、単語抽出部８１による文字領域抽出の処理及び単語抽出の処理は上述した通りであり、詳しい説明を省略する。
【００６８】
この際、ヒストグラム生成部８２は、ステップＳ１０５にて抽出された単語から単語組合せを生成し、当該出力データにおける、各単語組合せの出現頻度数をカウントし、ヒストグラムを生成する（ステップＳ１０６）。
【００６９】
一方、ユーザは操作パネル６０を適宜操作して、送受信部５０により受信されるウェブ情報の検索に用いるキーワードとして「出現頻度１位」を入力し、頻度受付部４は操作パネル６０を介して「出現頻度１位」を受け付ける（ステップＳ１０７）。
【００７０】
ステップＳ１０６にて生成されたヒストグラムと、ステップＳ１０７にて受け付けられた出現頻度の順位は記憶部９０に記憶される（ステップＳ１０８）。
【００７１】
ステップＳ１０８までの処理後、又はステップＳ１０３にて、受信された出力データが指定送信元からの出力データでないとＣＰＵ１により判定された場合、画像出力部４０は該出力データに基づき、印刷を行なう（ステップＳ１０９）。
【００７２】
図５は本発明の実施の形態に係る複合機１００における、表示制御部８０の処理の他例を説明するフローチャートである。以下においては、説明の便宜上、ユーザが前記被検索ウェブ情報の送信先として、パーソナルコンピュータＰＣ２を指定しており、当該検索に用いるキーワードとして「出現頻度１位」を入力した場合を例として説明する。ユーザから受け付けられた指定に係る被検索ウェブ情報の送信先は、記憶部９０に記憶される。
【００７３】
ＣＰＵ１は、計時部（図示せず）による計時結果に基づき、所定時間が経過したか否かを判定する（ステップＳ２０１）。ＣＰＵ１は所定時間が経過していないと判定した場合（ステップＳ２０１：ＮＯ）、所定時間の経過まで係る判定を繰り返す。
【００７４】
一方、ＣＰＵ１は所定時間が経過したと判定した場合（ステップＳ２０１：ＹＥＳ）、送受信部５０にウェブ情報の受信を指示する。送受信部５０は、ＣＰＵ１の指示に応じて、上述したような、ユーザからの指定に基づき、特定のカテゴリ又は特定の分野の複数のウェブ情報を受信する。これによってＣＰＵ１は特定のウェブ情報を取得する（ステップＳ２０２）。
【００７５】
この際、検索部８３は、頻度受付部４がユーザから受け付けた「出現頻度１位」に対応する単語組合せ（以下、１位単語組合せという。）を、ヒストグラム生成部８２によって生成された出現頻度のヒストグラム（図４のステップＳ１０６参照）から読み出して、送受信部５０によって受信された特定ウェブ情報の中、該１位単語組合せを含むものを検索する。
【００７６】
ＣＰＵ１は、検索部８３による斯かる検索の結果に基づき、ステップＳ２０２にて取得されたウェブ情報の中に、前記１位単語組合せを含むウェブ情報があるか否かを判定する（ステップＳ２０３）。
【００７７】
ステップＳ２０２にて取得されたウェブ情報の中に、前記１位単語組合せを含むウェブ情報がないとＣＰＵ１が判定した場合（ステップＳ２０３：ＮＯ）、処理はステップＳ２０１に移動する。
【００７８】
一方、ＣＰＵ１は、ステップＳ２０２にて取得されたウェブ情報の中に、前記１位単語組合せを含むウェブ情報があると判定した場合（ステップＳ２０３：ＹＥＳ）、検索部８３によって検索されたウェブ情報（被検索ウェブ情報）の送信先の指定を受け付けたか否かを判定する（ステップＳ２０４）。斯かる判定は、ＣＰＵ１が記憶部９０を確認することによって行なわれる。
【００７９】
ＣＰＵ１によって、被検索ウェブ情報の送信先の指定を受け付けていないと判定された場合（ステップＳ２０４：ＮＯ）、表示制御部８０は該被検索ウェブ情報に係る画像を、表示部７０に表示する（ステップＳ２０６）。以降、処理は再びステップＳ２０１に戻る。
【００８０】
一方、ＣＰＵ１は、被検索ウェブ情報の送信先の指定を受け付けたと判定した場合（ステップＳ２０４：ＹＥＳ）、当該被検索ウェブ情報を、送受信部５０を介して、受け付けている被検索ウェブ情報の送信先に送信する（ステップＳ２０５）。以降、処理は再びステップＳ２０１に戻る。
【符号の説明】
【００８１】
１  ＣＰＵ
４  頻度受付部（頻度順位受付手段）
５  指定受付部
４０  画像出力部
５０  送受信部（通信部）
７０  表示部
８０  表示制御部
８３  検索部（検索手段）
８２  ヒストグラム生成部（手段）
８１  単語抽出部（抽出手段）
１００  複合機（出力装置）
ＰＣ１、ＰＣ２  パーソナルコンピュータ（送信元、送信先）
【図１】
2013149166.tif 000003
【図２】
2013149166.tif 000004
【図３】
2013149166.tif 000005
【図４】
2013149166.tif 000006
【図５】
2013149166.tif 000007